(57)【要約】【課題】      背面カバーに対する正面カバーの着脱が容易であり、且つ足場が不安定な高所での作業でも安全に正面カバーの取外し作業ができる換気口カバーを提供する。【解決手段】  正面カバー８の後側円筒部１４に係止孔１９を形成し、背面カバー９の前側円筒部１７に取付片１８を設ける。正面カバー取付け時には、係止孔１９の導入開孔１９ａを係止爪片１８ｃと整合させて押込んで時計回りに回転させ、手を離す。すると、ばね片１８ｂが正面カバー８を付勢して、係止爪片１８ｃが係止孔１９の長孔１９ｂと係止し、正面カバー８が取付けられる。正面カバー取外し時には、正面カバー８をばね片１８ｂの付勢に抗して押込みつつ反時計回りに回転させるので、正面カバー８を手前側に強く引っ張る必要がなく、作業者の上体が後方に煽られて後傾姿勢にならないので、足場が不安定な高所での作業でも安全である。【選択図】    図１
2005249321.tif 000002
【特許請求の範囲】
【請求項１】
建物の換気口に取付ける背面カバーと、背面カバーの前方を覆うように背面カバーに取付ける正面カバーとを備えており、これら背面カバーと正面カバーに挿抜可能な円筒部を各々形成し、この円筒部どうしを差込み合わせることで、背面カバーに対し正面カバーを取付ける換気口カバーにおいて、
正面カバーと背面カバーに、円筒部どうしを差込み合わせた状態で正面カバーの回転により円筒部どうしの抜け方向で係止して正面カバーを抜止めする係止手段を設けたことを特徴とする換気口カバー。
【請求項２】
正面カバーか背面カバーの何れか一方の円筒部に、該円筒部の開口端から該円筒部の筒軸方向に沿って肉抜きした導入開孔と、導入開孔から該円筒部の周方向に沿って肉抜きした長孔とからなる係止受け部を設けるとともに、前記何れか他方に、該円筒部の厚みを通じる長さに突出して、該係止受け部の長孔に対し前記抜け方向で係止する係止突起とを設けて、係止手段を構成した請求項１記載の換気口カバー。
【請求項３】
正面カバーと背面カバーに各々形成した対向内面に、先端が各対向内面から片持ち梁状に離間する板ばね係止片を各々設け、正面カバーの回転により、板ばね係止片どうしが弾性接触しながら重ね合わさり前記抜け方向で相互に係止するものとして、係止手段を構成した請求項１記載の換気口カバー。
【請求項４】
正面カバーか背面カバーの何れかに、円筒部どうしを差込み合わせた状態で前記抜け方向で正面カバーを付勢するばね部材を設けた請求項１〜請求項３何れか１項記載の換気口カバー。
【請求項５】
係止受け部の長孔に、円筒部の開口端側へ肉抜きしてなる段部を設けた請求項４記載の換気口カバー。
【請求項６】
背面カバーの円筒部が、正面カバーの円筒部より大径であり、その先端に折曲形状のカール部を形成したものである請求項１〜請求項５何れか１項記載の換気口カバー。
【発明の詳細な説明】
【技術分野】
【０００１】
この発明は、建物の換気口に取付ける換気口カバーに関し、特に換気口に取付ける背面カバーに対し正面カバーを着脱可能とした換気口カバーに関する。
【背景技術】
【０００２】
建物内に設置されたダクトの外部開口端となる換気口には、換気口カバーが取付けられる。この換気口カバーは、塵埃が外面に付着し堆積すると見映えの点で好ましく無く、また内部の通気路に塵埃が付着し堆積すると通気性能を阻害することから、本来的には清掃作業を行うのが望ましい。また、防虫網や防火ダンパーを備える換気口カバーにあっては、防虫網に付着・堆積した塵埃の清掃や、温度ヒューズの点検・交換作業など各種のメンテナンスが必要となる。
【０００３】
ところで、従来の換気口カバー１は、図１０，図１１で示すような構造であり、正面カバー２と背面カバー３とを複数のネジＮを使って相互に固定するのが一般的である。したがって、前述の清掃作業やメンテナンスを行うためには、これらのネジＮを１本１本取外さなければならず作業性が悪く、またネジＮを紛失するというトラブルの発生もあった。そこで、図１２のような換気口カバー４が提案されている（特許文献１参照）。
【０００４】
図１２の換気口カバー４では、正面カバー５を背面カバー６へ固定するために、ネジＮを一本も使わない。すなわち、この換気口カバー４には、正面カバー５の後端の円筒部５ａに、半球状に内向きに膨出する複数の突起５ｂが形成されており、また背面カバー６の前端の円筒部６ａにも、半球状に内向きに膨出する複数の凹部６ｂが形成されている。そして、正面カバー５を背面カバー６に取付ける際には、円筒部５ａ，６ａどうしを重ね合わせた状態で、正面カバー５を押込み、突起５ｂを凹部６ｂに嵌り込ませるようにする。一方、正面カバー５の取外す際には、正面カバー５を手前側に引っ張って、突起５ｂを凹部６ｂから離脱させるようにする。
【特許文献１】特開平９−１００５８３号公報
【発明の開示】
【発明が解決しようとする課題】
【０００５】
ところで、図１２のような換気口カバー４であれば、ネジＮによる取付けを廃止した分、図１０，図１１の換気口カバー１よりも、正面カバー２の取外し時における作業性の悪さが無く、プッシュ・プルのワンタッチで、取付けと取外しが可能であり便利である。しかしながら、一般的に、換気口カバーは、室内の天井裏に設置されたダクトの外部側開口端をなす換気口に取付けられ、このため脚立などを使わなければ届かない高所に取付けるのが通例である。
【０００６】
ところが、前述の換気口カバー４では、正面カバー５の取外し時に、正面カバー５を手前側に引っ張って、つまり作業者が脚立などに登った状態で建物の壁から離れる方向へ力を加えて、突起５ｂを凹部６ｂから離脱させなければならない。このため、正面カバー５を手前側に引っ張る際に、また突起５ｂが凹部６ｂから離脱した際に、作業者の上体が後方に煽られて後傾姿勢になり易く、足場が不安定な高所での作業を強いられることを考慮すると、ワンタッチであっても取外し作業の安全性をさらに高める必要性は高い。
【０００７】
以上のような従来技術を背景になされたのが本発明である。その目的は、背面カバーに対する正面カバーの着脱が容易であり、且つ足場が不安定な高所での作業でも安全に正面カバーの取外し作業ができる換気口カバーを提供することである。
【課題を解決するための手段】
【０００８】
そこで本発明は、上記目的を達成すべく、建物の換気口に取付ける背面カバーと、背面カバーの前方を覆うように背面カバーに取付ける正面カバーとを備えており、これら背面カバーと正面カバーに挿抜可能な円筒部を各々形成し、この円筒部どうしを差込み合わせることで、背面カバーに対し正面カバーを取付ける換気口カバーについて、正面カバーと背面カバーに、円筒部どうしを差込み合わせた状態で正面カバーの回転により円筒部どうしの抜け方向で係止して正面カバーを抜止めする係止手段を設けたことを特徴とする。
【０００９】
この換気口カバーでは、正面カバーと背面カバーとの取付手段として、円筒部どうしを差込み合わせた状態で正面カバーの回転により円筒部どうしの抜け方向で係止して正面カバーを抜止めする係止手段を設けたので、背面カバーに対する正面カバーの着脱を、正面カバーの回転という容易な作業によって行える。また、背面カバーに対する正面カバーの取外し時には、従来技術の換気口カバー１のような多数のネジＮの取外しが不要でワンタッチでの取外しが可能であり、また換気口カバー４のごとく正面カバー５を手前側に強く引っ張る必要がなく、作業者の上体が後方に煽られて後傾姿勢になることも無いので、足場が不安定な高所での作業であってもワンタッチで安全に正面カバーの取外しを行える。
【００１０】
前記換気口カバーの係止手段の一具体例としては、正面カバーか背面カバーの何れか一方の円筒部に、該円筒部の開口端から該円筒部の筒軸方向に沿って肉抜きした導入開孔と、導入開孔から該円筒部の周方向に沿って肉抜きした長孔とからなる係止受け部を設けるとともに、前記何れか他方に、該円筒部の厚みを通じる長さに突出して、該係止受け部の長孔に対し前記抜け方向で係止する係止突起とを設けたものとして構成される。
【００１１】
また、前記換気口カバーの係止手段の他の具体例としては、正面カバーと背面カバーに各々形成した対向内面に、先端が各対向内面から片持ち梁状に離間する板ばね係止片を各々設け、正面カバーの回転により、板ばね係止片どうしが弾性接触しながら重ね合わさり前記抜け方向で相互に係止するものとして構成される。
【００１２】
ところで、前述のごとく正面カバーを回転可能な構成とした場合、正面カバーを背面カバーに取付けた状態で、正面カバーが回転することを確実に防止できるようにする必要がある。そこで、本発明は、前記換気口カバーについて、正面カバーか背面カバーの何れかに、円筒部どうしを差込み合わせた状態で前記抜け方向に正面カバーを付勢するばね部材を設けたものと構成される。
【００１３】
ばね部材によって正面カバーに対し抜け方向に向かう付勢が与えられると、係止手段による抜け方向での係止する力が増大する。このため、正面カバーの回転は確実に防止される。また、ばね部材には、次のような効用もある。すなわち、ばね部材は、前述のように、円筒部どうしを差込み合わせた状態で、それらの抜け方向に向かう弾発的な付勢力を発揮する。したがって、背面カバーから正面カバーを取外す際には、正面カバーを背面カバーに向けてばね部材の付勢に抗して押込んで回転させれば、前述の係止手段による抜け方向での係止を弱めることができるか皆無となり、正面カバーを比較的楽に回転させることができる。このことから正面カバーの取外し時には、作業者の姿勢が建物の壁に向かう前傾姿勢となり、従来技術のように上体が後方に煽られる後傾姿勢とはならないため、足場の不安定な高所での作業となっても安全に正面カバーの取外し作業が行えるのである。
【００１４】
こうしたばね部材を設けた構成による、正面カバーの取外し時における作業者の安全性確保は、次の本発明によって、さらに確実なものとなる。即ち、本発明は、前記換気口カバーについて、係止受け部の長孔に、円筒部の開口端側へ肉抜きしてなる段部を設けたものとして構成される。係止受け部の長孔に段部を形成すると、正面カバーを押込まなければ係止突起が段部を乗り越えることができないため、正面カバーが回転不能となる。したがって、この発明によれば、正面カバーの取外し時に、作業者に対して常に押込みを必要とさせることで前傾姿勢を誘導することができるため、さらに安全性が高まる。
【００１５】
以上の本発明による換気口カバーについては、背面カバーの円筒部が、正面カバーの円筒部よりも大径であり、その先端に折曲形状のカール部を形成したものとして構成される。前述のように、正面カバーは回転により着脱されるので、正面カバーを回転させる作業者の手が背面カバーの円筒部の先端と接触しても、該先端にはカール部が形成されているため、手や指を切ったりしないように安全性を確保できる。また、背面カバーを建物の壁に設置する際には、壁と背面カバーとの間にコーキングが施されるが、カール部によって、コーキング剤が正面カバーの方へ流出するのを堰き止めることができる。さらに、換気口カバーの内部の雨水を排水する際にも、背面カバーのカール部によって、壁から離れた外方へ滴下させることができる。
【００１６】
以上の各発明における正面カバーについては、前述の従来技術の換気口カバー１，４における正面カバー２，５のごとく前面に通気を整流するガラリ部を一体に有する構成、また前面にガラリ部に代えて網部を一体に有する構成、そして前面にガラリ部や網部を一体に備えないものであってもよい。この場合には、例えば、正面カバーや背面カバーとは別体のアタッチメントとしたガラリ板や網板を、正面カバーと背面カバーとの間に備えるようにしてもよい。そして、前述のばね部材を設けた本発明においては、ばね部材が、正面カバー又は背面カバーに対してガラリ板や網板を付勢する構成とすることで、がたつきの無い確実な取付状態を得ることができる。また、本発明が適用される換気口カバーの基本形状としても、従来技術として例示した他に、丸形フードや角形フードを基本形状としたものでもよい。さらに、本発明の換気口カバーは、相互に差込み合わさる円筒部を正面カバーと背面カバーに備える構成であればよく、しかもそれらの円筒部は必ずしも従来技術のように各カバーにおいて外周面を構成する部分に構成せずに、他の部分に構成することもできる。
【００１７】
また、以上の各発明におけるばね部材は、円筒部どうしの抜け方向で弾発的な付勢を正面カバーに付与できるものであれば、板ばね状のもの、圧縮コイルスプリングによるものなどを利用できる。
【発明の効果】
【００１８】
本発明の換気口カバーによれば、正面カバーの回転操作によって、正面カバーを背面カバーから容易に着脱できる。このため、正面カバーの取外し時の作業性を向上することができ、換気口カバーを清掃したり、換気口カバーの内部に備える網やガラリ板などの清掃や防火ダンパーの点検も、作業性良く行える。
【００１９】
また、本発明の換気口カバーによれば、正面カバーを取外すために作業者に必要な操作は、正面カバーの回転操作であって、作業者の上体が後方に煽られる後傾姿勢にならないため、高所における作業でも安全性を確保できる。
【発明を実施するための最良の形態】
【００２０】
以下、本発明の実施形態の一例について図面を参照しつつ説明する。なお、各実施形態および変形例で共通する構成については同一の符号を付して重複説明を省略する。
【００２１】
第１実施形態〔図１〜図５〕：  本実施形態の換気口カバー７は、何れもステンレスなどの金属製とした正面カバー８と背面カバー９とで構成される。正面カバー８には、その前面に、複数の整流用の羽根板１０を切り起こした円板形状のガラリ部１１が形成される。ガラリ部１１から後方には前側円筒部１２が形成され、その後端には外向きフランジ状の円環状鍔部１３が形成される。円環状鍔部１３の外縁から後方には、背面カバー９と組み合わさる後側円筒部１４が形成される。一方、背面カバー９は、建物の外壁Ｗに開口する換気口Ａ（図６参照）に対する取付箇所となる円筒状の差込筒部１５が形成される。なお、差込筒部１５の外周上には、換気口Ａの内周面に対して弾発的に当接して固定力を強化する複数個の板ばねが設けられている（図示略）。差込筒部１５の前端には、外向きフランジ状の円環状鍔部１６が形成される。これは、図１で示すごとく正面カバー８の円環状鍔部１３と対面位置する。円環状鍔部１６の外縁から前方には、正面カバー８の後側円筒部１４の内周面に差込ませる前側円筒部１７が形成される。
【００２２】
ところで、換気口カバー７には、以上に加えて「係止手段」の構成を備えている。それは、背面カバー９の円環状鍔部１６に設けた「係止突起」および「ばね部材」としての取付片１８と、正面カバー８の後側円筒部１４に設けた「係止受け部」としての係止孔１９である。
【００２３】
取付片１８は、背面カバー９の円環状鍔部１６に固定する基部１８ａと、基部１８ａから片持ち梁状に伸長する「ばね部材」としてのばね片１８ｂと、基部１８ａから円環状鍔部１６の外周端側へ伸長して立ち上げた「係止突起」としての係止爪片１８ｃとを一部品として構成したものである。このうち、係止爪片１８ｃは、正面カバー８の後側円筒部１４の板厚を通じる長さをもって、前側円筒部１７の径方向内向きに突出している。
【００２４】
一方、係止孔１９は、正面カバー８の後側円筒部１４に形成され、後側円筒部１４の開口端から筒軸方向に沿って切り欠いた導入開孔１９ａと、導入開孔１９ａの底側から後側円筒部１４の周方向に沿って切り欠いた長孔１９ｂとで構成される。なお、長孔１９ｂにはさらに、後側円筒部１４の開口端側へ肉抜きしてなる段部１９ｃが形成される。
【００２５】
次に、換気口カバー７の作用・効果を説明する。
【００２６】
図１及び図３（ａ）の状態から、背面カバー９の前側円筒部１７の内周面側に、正面カバー８の後側円筒部１４の外周面を合わせて差込ませる。この差込みは、取付片１８の係止片１８ｃを、係止孔１９の導入開孔１９ａに入り込ませながら行う。すると、取付片１８のばね片１８ｂが、対向する正面カバー８の円環状鍔部１３に対して接触する。この単なる接触状態では、係止片１８ｃは、依然として導入開孔１９ａの深さ方向における中間に位置しており、長孔１９ｂには到達しない。よって、そのままでは正面カバー８が回転不能であるため、さらに正面カバー８を、ばね片１８ｂの弾性に抗して押込むようにする。
【００２７】
そして、図３（ｂ）のように、係止片１８ｃが導入開孔１９ａの底側まで到達したならば、正面カバー８を時計回りに回転させる（図３（ｃ））。引き続き回転させて係止片１８ｃが長孔１９ｂの奥側まで到達したならば、正面カバー８に対する押込みと回転の操作を止める。これによって、正面カバー８は、ばね片１８ｂによって背面カバー９と離間する方向へ付勢された状態で、長孔１９ｂに対して係止する。
【００２８】
したがって、この換気口カバー７では、正面カバー８を時計回りに回転させることで背面カバー９に取付けるため、取付作業が容易である。また、正面カバー８を取付けると、ばね片１８ｂのばね力によって、係止片１８ｃが係止孔１９（長孔１９ｂ）に対して強く係止するため、正面カバー８の反時計回りの逆回転が阻止され、確実に抜け防止される。また、長孔１９ｂに段部１９ｃが形成され、正面カバー８を背面カバー９に対して押込まなければ係止片１８ｂが段部１９ｃを乗り越えることができないため、この点でも正面カバー８の逆回転阻止は、確実になされる。そして、正面カバー８の取外し時には、そのように、正面カバー８を押込んで反時計回りに逆回転させなければならばい。したがって、作業者の姿勢が建物の壁に向かう前傾姿勢となり、従来技術のように上体が後方に煽られる後傾姿勢とはならないため、高所においても安全に取外し作業が行える。
【００２９】
また、この換気口カバー７では、「係止手段」をなす「ばね部材」（ばね片１８ｂ）と「係止突起」（係止片１８ｃ）とを一部品として、すなわち取付片１８として一体形成したため、部品点数を低減できる利点もある。なお、この部品点数の減少という利点を欠いてもよければ、例えば基部１８ａとばね片１８ｂとを一部品として、また基部１８ａと係止片１８ｃとを一部品として、二部品構成としてもよい。さらには、係止片１８ｃについては、背面カバー９の前側円筒部１７を部分的に切り立ち上げて構成し、部品として構成しないこともできる。
【００３０】
さらに、この換気口カバー７では、外壁Ｗへ設置する際に、背面カバー９の前側円筒部１７と外壁Ｗとの間に全周にわたってコーキングが施されるが（図６参照）、正面カバー８の後側円筒部１４が背面カバー９の前側円筒部１７の内側に差込まれることで、正面カバー８の係止孔１９は、背面カバー９の前側円筒部１７によって覆われて外部に露呈しない。このため、コーキングが係止孔１９を通じて内部に浸入し、取付片１８と係止孔１９に付着して、正面カバー８が取外せなくなる、といったようなおそれも無い。
【００３１】
次に、本実施形態による換気口カバー７の変形例を説明する。
【００３２】
換気口カバー７については、例えば図４で示すように、正面カバー８と背面カバー９との間に、網板２０を内蔵する構成としてもよい。この場合には、ばね片１８ｂが網板２０を背面カバー９の円環状鍔部１６に対して付勢するので、取付状態で、網板２０のがたつきが生じることもない。また、このように網板２０を備える構成とした場合、ばね片１８ｂは網板２０との接触部分が湾曲形状であるから、当該接触部分が網目に対して完全に引っ掛かってしまって正面カバー８が回転不能となるような不都合はない。
【００３３】
また、換気口カバー７については、図５で示すような正面カバー２１とし、これと背面カバー２２との間にガラリ板２３を内蔵する構成としてもよい。また、この変形例のように、正面カバー２１の円筒部２１ａを大径に、背面カバー２２の円筒部２２ａを小径に構成することもできる。なお、この場合には、前述したコーキングの付着防止のため、正面カバー２１を背面カバー２２に取付けた状態で、正面カバー２１の円筒部２１ａによって背面カバー２２の係止孔１９を覆い隠すことができるように、該円筒部２１ａを形成するようにする。さらに、取付片１８を正面カバー２１に、係止孔１９を背面カバー９に形成することもできる。もちろん、このガラリ板２３に代えて、図４の網板２０を内蔵する構成でもよい。
【００３４】
また、換気口カバー７は、図６で示す背面カバー２４を備えるものとして構成できる。この背面カバー２４は、前側円筒部２５の先端に折曲形状のカール部２６を形成した点で、前述の背面カバー９と異なっている。前述のように、正面カバー８は回転によって背面カバー２４に対して着脱される。したがって、正面カバー８を回転させる作業者の手が背面カバー２４の前側円筒部２５の先端と接触しても、該先端にはカール部２６が形成されているので、手や指を切ったりしないように安全性を確保できる。また、背面カバー２４を建物の外壁Ｗに設置する際には、外壁Ｗと背面カバー２４との間にコーキングＣが施されるが、カール部２６によって、未硬化のコーキング剤が正面カバー８の方へ流出するのを堰き止めることができる。さらに、換気口カバー７の内部の雨水を排水する際に、前述の背面カバー９では、雨水が前側円筒部１７の下端の外面をつたって外壁Ｗに付着するおそれがあるが、この背面カバー２４であれば、カール部２６によって、外壁Ｗへの流路が遮断されるので、外壁Ｗから離れた位置での排水が可能となり、外壁Ｗの汚損をできるだけ無くすことができる。
【００３５】
第２実施形態〔図７〜図９〕：  本実施形態の換気口カバー２７は、何れもステンレス等の金属製とした正面カバー２８と背面カバー２９とで構成される。これらは、次の本実施形態における特徴を除く残余の構成については、第１実施形態の正面カバー８および背面カバー９と同一である。すなわち、本実施形態では、「係止手段」として板ばね係止片３０，３１を設けたものである。具体的には、正面カバー２８の板ばね係止片３０と、背面カバー２９の板ばね係止片３１は、「対向内面」としての円環状鍔部１３，１６に対して固定されている。なお、板ばね係止片３０，３１は同一形状のものである。
【００３６】
次に、本実施形態の作用・効果を説明する。図７及び図９（ａ）の状態から、背面カバー２９の前側円筒部１７の内周面に、正面カバー２８の後側円筒部１４の外周面を合わせて差込ませる。この差込みのときには、図９（ｂ）のように、板ばね係止片３０，３１どうしを周方向でずらしておく。そして、差込状態で正面カバー２８を時計回りに回転させると、図９（ｃ）のように正面カバー２８の板ばね係止片３０が、背面カバー２９の板ばね係止片３１と一旦相互に弾性接触してから、図９（ｄ）で示すように弾性接触が解除された状態で組み合わさって係止する。
【００３７】
以上のように、この換気口カバー２７では、正面カバー２８を回転させることで背面カバー２９に取付けるため、取付作業が容易である。また、板ばね係止片３０，３１どうしが一旦弾性接触してからそれが解除された状態で組み合わさって係止することで正面カバー２８が取付けられる。このため、板ばね係止片３０，３１どうしの弾性接触を乗り越えなければ、正面カバー２８を背面カバー２９に対して反時計回りに逆回転させることができないから、正面カバー２８は確実に回転防止される。そして、正面カバー２８の取外し時には、正面カバー２８を手前に引っ張るのではなく逆回転させるので、上体が後方に煽られる後傾姿勢とはならず、足場の悪い高所での作業でも安全に取外し作業が行える。また、この換気口カバー２７では、「係止手段」をなす板ばね係止片３０，３１が同一形状であるため、複数種類の別部品を製造する必要がなく、部品点数を少なくできる。
【００３８】
次に、本実施形態の変形例を説明する。換気口カバー２７については、第１実施形態と同様に網板２０やガラリ板２３を備える構成にできる。また、正面カバー２８と背面カバー２９についても、図５や図６で示す構成に変更することができる。
【００３９】
なお、以上の第１実施形態とその変形例および第２実施形態とその変形例では、換気口カバー７，２７、網板２０、ガラリ板２３など、各部材の材質として金属製のものを例示したが、プラスチック製のものであってもよい。また、屋外取付用の換気口カバーとして構成しても、屋内取付用の換気口カバーとして構成してもよい。
【図面の簡単な説明】
【００４０】
【図１】第１実施形態による換気口カバーを図２のＳＢ−ＳＢ線方向から見た分解断面図。
【図２】図１の換気口カバーにおける背面カバーの内部構造を示す裏面図。
【図３】図１の換気口カバーにおける背面カバーに対する正面カバーの取付説明図であり、分図（ａ）は取付前の状態を示す斜視図、分図（ｂ）は正面カバーの係止孔に背面カバーの取付片を進入させた状態を示す説明図、分図（ｃ）は正面カバーの回転により取付片が係止孔の内部を移動する状態を示す説明図、分図（ｄ）は取付片が係止孔に抜止め係止した状態を示す説明図。
【図４】図１の換気口カバーの変形例を示す分解断面図。
【図５】図１の換気口カバーの他の変形例を示す分解断面図。
【図６】図１の換気口カバーのさらに他の変形例による外壁への取付状態を示す断面図。
【図７】第２実施形態による換気口カバーを図８のＳＣ−ＳＣ線方向から見た分解断面図。
【図８】分図（ａ）は図７の換気口カバーにおける正面カバーの内部構造を示す裏面図、分図（ｂ）は図７の換気口カバーにおける背面カバーの内部構造を示す裏面図。
【図９】図７の換気口カバーにおける背面カバーに対する正面カバーの取付説明図であり、分図（ａ）は取付前の状態を示す斜視図、分図（ｂ）は正面カバーの後側円筒部を背面カバーの前側円筒部に差込み合わせた状態を示す説明図、分図（ｃ）は回転により正面カバーの板ばね係止片が、背面カバーの板ばね係止片と当接し弾性接触する状態を示す説明図、分図（ｄ）は板ばね係止片どうしが係止し、正面カバーを抜止めした状態を示す説明図。
【図１０】一従来例による換気口カバーの外観正面図。
【図１１】図１０のＳＡ−ＳＡ線に沿う換気口カバーの外壁への取付状態を示す断面図。
【図１２】他の従来例による換気口カバーの外壁への取付状態を示す断面図。
【符号の説明】
【００４１】
７    換気口カバー（第１実施形態）
８    正面カバー
９    背面カバー
１０    羽根板
１１    ガラリ部
１２    前側円筒部
１３    円環状鍔部
１４    後側円筒部（円筒部）
１５    差込筒部
１６    円環状鍔部
１７    前側円筒部（円筒部）
１８    取付片（係止手段）
１８ａ  基部
１８ｂ  ばね片（ばね部材）
１８ｃ  係止片（係止突起）
１９    係止孔（係止手段）
１９ａ  導入開孔
１９ｂ  長孔
１９ｃ  段部
２０    網板
２１    正面カバー
２１ａ  前側円筒部
２２    背面カバー
２２ａ  後側円筒部
２３    ガラリ板
２４    背面カバー
２５    前側円筒部
２６    カール部
２７    換気口カバー（第２実施形態）
２８    正面カバー
２９    背面カバー
３０，３１    板ばね係止片
Ｗ    外壁
Ａ    換気口
【図１】
2005249321.tif 000003
【図２】
2005249321.tif 000004
【図３】
2005249321.tif 000005
【図４】
2005249321.tif 000006
【図５】
2005249321.tif 000007
【図６】
2005249321.tif 000008
【図７】
2005249321.tif 000009
【図８】
2005249321.tif 000010
【図９】
2005249321.tif 000011
【図１０】
2005249321.tif 000012
【図１１】
2005249321.tif 000013
【図１２】
2005249321.tif 000014